(57)【要約】【課題】動き部分にピントが合っているかを容易に確認可能とする。【解決手段】第１のフレームレートのN倍（Nは２以上の整数）の第２のフレームレートの撮像映像信号から第１のフレームレートの映像信号を得る。第２のフレームレートの撮像映像信号に対してフレーム毎に水平方向および垂直方向のハイパスフィルタ処理を行ってエッジ信号を検出する。そして、各フレームのエッジ信号に基づいて第１のフレームレートの各フレームに対応したエッジ信号を生成する。第１のフレームレートの映像信号に、生成されたエッジ信号を合成してビューファインダ表示用の映像信号を得る。【選択図】図１
2019071619.tif 000002
【特許請求の範囲】
【請求項１】
第１のフレームレートのＮ倍（Ｎは２以上の整数）の第２のフレームレートの映像信号対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部を備える
映像信号処理装置。
【請求項２】
上記エッジ信号生成部は、
上記エッジ信号検出部で検出された各フレームのエッジ信号を用いて、フレーム毎に、隣接するフレームとの間で上記エッジ信号の差分絶対値を求める演算処理を行い、
Ｎフレーム毎に、一部または全部のフレームの上記エッジ信号の差分絶対値から１フレーム分のエッジ信号を生成する
請求項１に記載の映像信号処理装置。
【請求項３】
上記エッジ信号生成部は、
上記エッジ信号検出部で検出された各フレームのエッジ信号を用いて、Ｎフレーム毎に、一部または全部のフレームの上記エッジ信号から１フレーム分のエッジ信号を生成する
請求項１に記載の映像信号処理装置。
【請求項４】
上記エッジ信号生成部で生成された各フレームのエッジ信号を所定色の色信号に変換して出力する色変換部をさらに備える
請求項１に記載の映像信号処理装置。
【請求項５】
上記第２のフレームレートは、２００Ｈｚ以上である
請求項１に記載の映像信号処理装置。
【請求項６】
ハイパスフィルタを用いて第１のフレームレートのＮ倍（Ｎは２以上の整数）の第２のフレームレートの映像信号に対してフレーム毎に水平方向および垂直方向のハイパスフィルタ処理を行ってエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップを有する
映像信号処理方法。
【請求項７】
第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部と、
上記フレームレート変換部で得られた上記第１のフレームレートの映像信号に上記エッジ信号生成部で生成された上記第１のフレームレートの各フレームに対応したエッジ信号を合成して上記第１のフレームレートのビューファインダ表示用の映像信号を得る信号合成部を備える
カメラ装置。
【請求項８】
上記エッジ信号生成部は、
上記エッジ信号検出部で検出された各フレームのエッジ信号を用いて、フレーム毎に、隣接するフレームとの間で上記エッジ信号の差分絶対値を求める演算処理を行い、
Ｎフレーム毎に、一部または全部のフレームの上記エッジ信号の差分絶対値から１フレーム分のエッジ信号を生成する
請求項７に記載のカメラ装置。
【請求項９】
上記エッジ信号生成部は、
上記エッジ信号検出部で検出された各フレームのエッジ信号を用いて、Ｎフレーム毎に、一部または全部のフレームの上記エッジ信号から１フレーム分のエッジ信号を生成する
請求項７に記載のカメラ装置。
【請求項１０】
上記エッジ信号生成部で生成された各フレームのエッジ信号を所定色の色信号に変換して出力する色変換部をさらに備え、
上記信号合成部は、
上記フレームレート変換部で得られた上記第１のフレームレートの映像信号に、上記色変換部から出力される上記第１のフレームレートの各フレームに対応した上記所定色の色信号を合成して上記第１のフレームレートのビューファインダ表示用の映像信号を得る
請求項７に記載のカメラ装置。
【請求項１１】
上記色変換部は、
上記所定色をユーザ操作部からの選択信号に基づいて決定する
請求項１０に記載のカメラ装置。
【請求項１２】
上記第２のフレームレートは、２００Ｈｚ以上である
請求項７に記載のカメラ装置。
【請求項１３】
第１のフレームレートのＮ倍（Ｎは２以上の整数）の第２のフレームレートの撮像映像信号から上記第１のフレームレートの映像信号を得るフレームレート変換ステップと、
ハイパスフィルタを用いて上記第２のフレームレートの撮像映像信号に対してフレーム毎に水平方向および垂直方向のハイパスフィルタ処理を行ってエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップと、
上記フレームレート変換ステップで得られた上記第１のフレームレートの映像信号に上記エッジ信号生成ステップで生成された上記第１のフレームレートの各フレームに対応したエッジ信号を合成して上記第１のフレームレートのビューファインダ表示用の映像信号を得る信号合成ステップを備える
映像信号処理方法。
【請求項１４】
第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出する第１のエッジ信号検出部と、
上記第１のエッジ信号検出部で検出された各フレームのエッジ信号に基づいて上記第１のフレームレートの各フレームに対応した第１のエッジ信号を生成するエッジ信号生成部と、
上記フレームレート変換部で得られた上記第１のフレームレートの映像信号に対してフレーム毎に水平方向および垂直方向のハイパスフィルタ処理を行って上記第１のフレームレートの各フレームに対応した第２のエッジ信号を検出する第２のエッジ信号検出部と、
上記フレームレート変換部で得られた上記第１のフレームレートの映像信号に、上記エッジ信号生成部で生成された上記第１のエッジ信号、上記第２のエッジ信号検出部で検出された上記第２のエッジ信号、あるいは該第１のエッジ信号および該第２のエッジ信号を合わせた第３のエッジ信号を合成した、上記第１のフレームレートのビューファインダ表示用の映像信号を出力する信号処理部を備える
カメラ装置。
【請求項１５】
上記信号処理部は、
ユーザ操作部からの選択信号に基づいて、上記第１のエッジ信号、上記第２のエッジ信号、上記第３のエッジ信号のいずれかを選択的に出力する
請求項１４に記載のカメラ装置。
【発明の詳細な説明】
【技術分野】
【０００１】
本技術は、映像信号処理装置、映像信号処理方法およびカメラ装置に関し、特に、ハイフレームレート映像信号を処理する映像信号処理装置に関する。
【背景技術】
【０００２】
従来、ハイフレームレート撮像を可能とするカメラ装置が提案されている（例えば、特許文献１参照）。このカメラ装置では、ハイフレームレート映像信号を標準フレームレート映像信号（標準速映像信号）に変換してビューファインダ表示用の映像信号を得ることが行われている。
【０００３】
また、従来、ビューファインダを用いてフォーカスのマニュアル操作を行う際、操作を補助するための指標（マーカ）として、ビューファインダ表示用の映像信号から抽出されるエッジ信号（高周波成分）を強調表示する機能（PEAKING機能、VF-DETAIL機能など）が知られている（例えば、特許文献２参照）。この場合、ピントがあった部分は信号レベルの変化（エッジ）が急峻となることから、強調表示されたエッジを見ることでピントがあっているかを確認することが可能となる。
【先行技術文献】
【特許文献】
【０００４】
【特許文献１】特開２０１０−２６８３５４号公報
【特許文献２】特開２００７−０６０３２８号公報
【発明の概要】
【発明が解決しようとする課題】
【０００５】
画面上で早く動いている部分に関しては、動画像ボケが発生し、ビューファインダ表示用の映像信号においてエッジ信号（高周波成分）が失われることから、エッジ信号（高周波成分）を検出し、その強調表示によりピントがあっているかを確認することが困難であった。なお、ハイフレームレート撮像を可能とするカメラ装置では、速い動きの部分をスロー映像で見せるために使われるので、動いている箇所にこそ、ピントを合わせたいという要望がある。
【０００６】
本技術の目的は、動き部分にピントが合っているかを容易に確認可能とすることにある。
【課題を解決するための手段】
【０００７】
本技術の概念は、
第１のフレームレートのＮ倍（Ｎは２以上の整数）の第２のフレームレートの映像信号に対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部を備える
映像信号処理装置にある。
【０００８】
本技術において、エッジ信号検出部により、第１のフレームレートのＮ倍（Ｎは２以上の整数）の第２のフレームレートの映像信号に対してフレーム毎に水平方向および垂直方向のハイパスフィルタ処理が行われてエッジ信号が検出される。そして、エッジ信号生成部により、エッジ信号検出部で検出された各フレームのエッジ信号に基づいて第１のフレームレートの各フレームに対応したエッジ信号が生成される。例えば、第２のフレームレートは、２００Ｈｚ以上である、ようにされてもよい。
【０００９】
また、例えば、エッジ信号生成部は、エッジ信号検出部で検出された各フレームのエッジ信号を用いて、フレーム毎に、隣接するフレームとの間でエッジ信号の差分絶対値を求める演算処理を行い、Ｎフレーム毎に、一部または全部のフレームのエッジ信号の差分絶対値から１フレーム分のエッジ信号を生成する、ようにされてもよい。また、例えば、エッジ信号生成部は、エッジ信号検出部で検出された各フレームのエッジ信号を用いて、Ｎフレーム毎に、一部または全部のフレームのエッジ信号から１フレーム分のエッジ信号を生成する、ようにされてもよい。
【００１０】
このように本技術においては、第２のフレームレート（ハイフレームレート）の映像信号の各フレームで検出されたエッジ信号に基づいて第１のフレームレート（通常フレームレート）の各フレームに対応したエッジ信号を生成するものである。そのため、例えば、動画像ボケの影響を抑制でき、第１のフレームレートの各フレームに対応したエッジ信号として動き部分のエッジに対応したエッジ信号を良好に得ることが可能となる。
【００１１】
なお、本技術において、エッジ信号生成部で生成された各フレームのエッジ信号を所定色の色信号に変換して出力する色変換部をさらに備える、ようにされてもよい。この場合、エッジ信号によるエッジ強調表示を所定色で行うことが可能となる。
【００１２】
また、本技術の他の概念は、
第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部と、
上記フレームレート変換部で得られた上記第１のフレームレートの映像信号に上記エッジ信号生成部で生成された上記第１のフレームレートの各フレームに対応したエッジ信号を合成して上記第１のフレームレートのビューファインダ表示用の映像信号を得る信号合成部を備える
カメラ装置にある。
【００１３】
本技術において、フレームレート変換部により、第１のフレームレートのＮ倍（Ｎは２以上の整数）の第２のフレームレートの撮像映像信号から第１のフレームレートの映像信号が得られる。例えば、第２のフレームレートは、２００Ｈｚ以上である、ようにされてもよい。
【００１４】
エッジ信号検出部により、第２のフレームレートの撮像映像信号に対してフレーム毎に水平方向および垂直方向のハイパスフィルタ処理が行われてエッジ信号が検出される。エッジ信号生成部により、エッジ信号検出部で検出された各フレームのエッジ信号に基づいて第１のフレームレートの各フレームに対応したエッジ信号が生成される。
【００１５】
例えば、エッジ信号生成部は、エッジ信号検出部で検出された各フレームのエッジ信号を用いて、フレーム毎に、隣接するフレームとの間でエッジ信号の差分絶対値を求める演算処理を行い、Ｎフレーム毎に、一部または全部のフレームのエッジ信号の差分絶対値から１フレーム分のエッジ信号を生成する、ようにされてもよい。また、例えば、エッジ信号生成部は、エッジ信号検出部で検出された各フレームのエッジ信号を用いて、Ｎフレーム毎に、一部または全部のフレームのエッジ信号から１フレーム分のエッジ信号を生成する、ようにされてもよい。
【００１６】
信号合成部により、フレームレート変換部で得られた第１のフレームレートの映像信号に、エッジ信号生成部で生成された第１のフレームレートの各フレームに対応したエッジ信号が合成されて、第１のフレームレートのビューファインダ表示用の映像信号が得られる。
【００１７】
このように本技術においては、第２のフレームレート（ハイフレームレート）の映像信号の各フレームで検出されたエッジ信号に基づいて第１のフレームレート（通常フレームレート）の各フレームに対応したエッジ信号を生成し、このエッジ信号を第１のフレームレートの映像信号に合成してビューファインダ表示用の映像信号を得るものである。そのため、例えば、動画像ボケの影響を抑制でき、第１のフレームレートの各フレームに対応したエッジ信号として動き部分のエッジ信号を良好に得ることができ、動き部分にもエッジ信号によるエッジ強調表示を良好に行うことが可能となる。
【００１８】
なお、本技術において、例えば、エッジ信号生成部で生成された各フレームのエッジ信号を所定色の色信号に変換して出力する色変換部をさらに備え、信号合成部は、フレームレート変換部で得られた第１のフレームレートの映像信号に、色変換部から出力される第１のフレームレートの各フレームに対応した所定色の色信号を合成して第１のフレームレートのビューファインダ表示用の映像信号を得る、ようにされてもよい。この場合、例えば、色変換部は、所定色をユーザ操作部からの選択信号に基づいて決定する、ようにされてもよい。エッジ信号によるエッジ情報表示を、例えばユーザにより選択された所定色で行うことが可能となる。
【００１９】
また、本技術の他の概念は、
第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出する第１のエッジ信号検出部と、
上記第１のエッジ信号検出部で検出された各フレームのエッジ信号に基づいて上記第１のフレームレートの各フレームに対応した第１のエッジ信号を生成するエッジ信号生成部と、
上記フレームレート変換部で得られた上記第１のフレームレートの映像信号に対してフレーム毎に水平方向および垂直方向のハイパスフィルタ処理を行って上記第１のフレームレートの各フレームに対応した第２のエッジ信号を検出する第２のエッジ信号検出部と、
上記フレームレート変換部で得られた上記第１のフレームレートの映像信号に、上記エッジ信号生成部で生成された上記第１のエッジ信号、上記第２のエッジ信号検出部で検出された上記第２のエッジ信号、あるいは該第１のエッジ信号および該第２のエッジ信号を合わせた第３のエッジ信号を合成した、上記第１のフレームレートのビューファインダ表示用の映像信号を出力する信号処理部を備える
カメラ装置にある。
【００２０】
本技術において、フレームレート変換部により、第１のフレームレートのＮ倍（Ｎは２以上の整数）の第２のフレームレートの撮像映像信号から第１のフレームレートの映像信号が得られる。例えば、第２のフレームレートは、２００Ｈｚ以上である、ようにされてもよい。第１のエッジ信号検出部により、第２のフレームレートの撮像映像信号に対してフレーム毎に水平方向および垂直方向のハイパスフィルタ処理が行われてエッジ信号が検出される。
【００２１】
エッジ信号生成部により、第１のエッジ信号検出部で検出された各フレームのエッジ信号に基づいて第１のフレームレートの各フレームに対応した第１のエッジ信号が生成される。第２のエッジ信号検出部により、フレームレート変換部で得られた第１のフレームレートの映像信号に対してフレーム毎に水平方向および垂直方向のハイパスフィルタ処理が行われて第１のフレームレートの各フレームに対応した第２のエッジ信号が検出される。
【００２２】
そして、信号処理部により、フレームレート変換部で得られた第１のフレームレートの映像信号に、第１のエッジ信号、第２のエッジ信号、あるいは第１のエッジ信号および第２のエッジ信号を合わせた第３のエッジ信号が合成された、第１のフレームレートのビューファインダ表示用の映像信号が出力される。例えば、信号処理部は、ユーザ操作部からの選択信号に基づいて、第１のエッジ信号、第２のエッジ信号、第３のエッジ信号のいずれかを選択的に出力する、ようにされてもよい。
【００２３】
このように本技術においては、第１のフレームレートの映像信号に、第１のエッジ信号、第２のエッジ信号、あるいは第１のエッジ信号および第２のエッジ信号を合わせた第３のエッジ信号を合成した、第１のフレームレートのビューファインダ表示用の映像信号を出力するものである。そのため、ビューファインダに、エッジ信号によるエッジ強調表示を、動き部分のみ、静止部分のみ、あるいは動き部分よび静止部分の双方に行った画像を表示することが可能となる。
【発明の効果】
【００２４】
本技術によれば、動き部分にピントが合っているかを容易に確認可能となる。なお、本明細書に記載された効果はあくまで例示であって限定されるものではなく、また付加的な効果があってもよい。
【図面の簡単な説明】
【００２５】
【図１】実施の形態としてのカメラ装置の構成例を示すブロック図である。
【図２】ＨＦＲ映像信号および標準速映像信号を説明するための図である。
【図３】エッジ信号の検出、生成の処理を説明するための図である。
【図４】エッジ信号の検出、生成の処理を説明するための図である。
【図５】ビューファインダの画像の一例を示す図である。
【発明を実施するための形態】
【００２６】
以下、発明を実施するための形態（以下、「実施の形態」とする）について説明する。なお、説明を以下の順序で行う。
１．実施の形態
２．変形例
【００２７】
＜１．実施の形態＞
［カメラ装置の構成例］
図１は、実施の形態としてのカメラ装置１００の構成例を示している。このカメラ装置１００は、制御部１０１と、ユーザ操作部１０２と、撮像部１０３と、フレームレート変換部１０４と、エッジ信号検出部１０５と、エッジ信号検出部１０６と、エッジ信号生成部１０７とＶＦ信号処理部１０８を有している。
【００２８】
制御部（カメラＣＰＵ）１０１は、カメラ装置１００の各部の動作を制御する。ユーザ操作部１０２は、制御部１０１に接続されており、ユーザが種々の操作を行うためのユーザインタフェースを構成する。
【００２９】
撮像部１０３は、ＣＭＯＳ（Complementary Metal-Oxide Semiconductor）、ＣＣＤ（Charge Coupled Devices）などのイメージセンサを持ち、ＨＦＲ映像信号（ハイフレームレート映像信号）を出力する。このＨＦＲ映像信号は、本線信号処理部に送られる。このＨＦＲ映像信号のフレームレートは、標準速映像信号（標準フレームレート映像信号）のフレームレートのＮ倍（Ｎは２以上の整数）である。この実施の形態では、標準速映像信号のフレームレートが６０Ｈｚであり、ＨＦＲ映像信号のフレームレートがその４倍の２４０Ｈｚであるとする。
【００３０】
フレームレート変換部１０４は、例えば、フレームメモリにより構成され、２４０ＨｚのフレームレートのＨＦＲ映像信号から６０Ｈｚのフレームレートの標準速映像信号を得る。この場合、フレームレート変換部１０４は、ＨＦＲ映像信号の４フレーム毎に、４フレームの映像信号を加算して、標準速映像信号の１フレームの映像信号を生成する。なお、ＨＦＲ映像信号の４フレーム毎に、４フレームの映像信号の全てを用いて標準速映像信号の１フレームの映像信号を得るのではなく、３フレーム、２フレームあるいは１フレームの映像信号を用いて標準速映像信号の１フレームの映像信号を得ることも考えられる。
【００３１】
図２（ａ１）〜（ａ４）は、撮像部１０３から出力されるＨＦＲ映像信号による４フレーム分の画像の一例を示している。この図において、「人物」は動き部分を構成しており、「円柱」は静止部分を構成している。図２（ｂ）は、フレームレート変換部１０４で得られる標準速映像信号による１フレーム分の画像の一例を示している。この例は、ＨＦＲ映像信号の４フレーム毎に、４フレームの映像信号を加算して、標準速映像信号の１フレームの映像信号を生成する場合を示している。
【００３２】
エッジ信号検出部１０５は、フレームレート変換部１０４で得られた６０Ｈｚのフレームレートの標準速映像信号に対して、フレーム毎に、水平方向および垂直方向のハイパスフィルタ処理を行って、６０Ｈｚのフレームレートの各フレームに対応したエッジ信号を検出する。図３（ａ）は、エッジ信号検出部１０５で検出される１フレーム分のエッジ信号の一例を示している。
【００３３】
この例は、フォーカスポイントが手前側の「円柱」の静止部分の近辺にある場合を示しており、この「円柱」のエッジに対応したエッジ信号が検出される（矢印Ｐ１参照）。しかし、「人物」は動き部分であるので、動画像ボケが発生しており、この「人物」のエッジに対応したエッジ信号は検出されない。
【００３４】
エッジ信号検出部１０６は、撮像部１０３から出力された２４０ＨｚのフレームレートのＨＦＲ映像信号に対して、フレーム毎に、水平方向および垂直方向のハイパスフィルタ処理を行って、２４０Ｈｚのフレームレートの各フレームに対応したエッジ信号を検出する。図３（ｂ１）〜（ｂ４）は、エッジ信号検出部１０６で検出される４フレーム分のエッジ信号の一例を示している。
【００３５】
この例は、フォーカスポイントが手前側の「円柱」の静止部分の近辺にある場合を示しており、この「円柱」のエッジに対応したエッジ信号が検出される（矢印Ｐ１参照）と共に、フレームレートが高いので動画像ボケが少なく、「人物」のエッジに対応したエッジ信号も検出される（矢印Ｑ１，Ｑ２，Ｑ３参照）。図４（ａ）は、図３（ｂ１）〜（ｂ４）に示すエッジ信号検出部１０６で検出される４フレーム分のエッジ信号を加算した状態を示している。なお、図３（ａ），（ｂ１）〜（ｂ４）、図４（ａ）において、「円柱」や「人物」は、エッジ信号（差分絶対値）の検出位置の参考とするために表わされている。
【００３６】
エッジ信号生成部１０７は、エッジ信号検出部１０６で検出された各フレームのエッジ信号を用いて、フレーム毎に隣接するフレームとの間でエッジ信号の差分絶対値を求める演算処理を行う。このように差分絶対値を取ることで、静止部分のエッジに対応したエッジ信号を相殺して除去することができる。
【００３７】
図４（ｂ１）〜（ｂ４）は、エッジ信号生成部１０７で生成される４フレーム分の差分絶対値の一例を示している。図示のように、静止部分である「円柱」のエッジに対応したエッジ信号は除去され、動き部分である「人物」のエッジに対応したエッジ信号のみが残る（矢印Ｑ１´，Ｑ２´，Ｑ３´参照）。なお、図４（ｂ１）〜（ｂ４）において、「円柱」や「人物」は、エッジ信号（差分絶対値）の検出位置の参考とするために表わされている。
【００３８】
また、エッジ信号生成部１０７は、４フレーム毎に、４フレームの差分絶対値を加算して、６０Ｈｚのフレームレートの各フレームに対応したエッジ信号を生成する。なお、４フレーム毎に、４フレームの差分絶対値の全てを用いて１フレーム分のエッジ信号を生成するのではなく、３フレーム、２フレームあるいは１フレームの差分絶対値を用いて１フレーム分のエッジ信号を生成することも考えられる。
【００３９】
ＶＦ信号処理部１０８は、フレームレート変換部１０４で得られた６０Ｈｚのフレームレートの標準速映像信号に、エッジ信号生成部１０７で生成された６０Ｈｚのフレームレートの各フレームに対応したエッジ信号を合成して、ビューファインダ表示用の第１の映像信号を生成する。この場合、ＶＦ信号処理部１０８は、エッジが強調表示（例えば、高輝度表示、白色を含む所定色表示など）されるように、エッジ信号を映像信号に合成する。
【００４０】
例えば、エッジを所定色で表示する場合、ＶＦ信号処理部１０８は、エッジ信号を所定色の色信号に変換した後に、映像信号に合成する。この場合、ＶＦ信号処理部１０８は、ユーザ操作部１０２からの選択信号に基づいて、所定色を決定する。つまり、ユーザは、ユーザ操作部１０２を操作することで、所定色を自身が望む色に設定することが可能とされている。
【００４１】
また、ＶＦ信号処理部１０８は、フレームレート変換部１０４で得られた６０Ｈｚのフレームレートの標準速映像信号に、エッジ信号検出部１０５で検出された６０Ｈｚのフレームレートの各フレームに対応したエッジ信号を合成して、ビューファインダ表示用の第２の映像信号を生成する。この場合、ＶＦ信号処理部１０８は、エッジが強調表示（例えば、高輝度表示、白色を含む所定色表示など）されるように、エッジ信号を映像信号に合成する。
【００４２】
また、ＶＦ信号処理部１０８は、フレームレート変換部１０４で得られた６０Ｈｚのフレームレートの標準速映像信号に、エッジ信号生成部１０７で生成された６０Ｈｚのフレームレートの各フレームに対応したエッジ信号（第１のエッジ信号）と、エッジ信号検出部１０５で検出された６０Ｈｚのフレームレートの各フレームに対応したエッジ信号（第２のエッジ信号）の双方を合成して、ビューファインダ表示用の第３の映像信号を生成する。
【００４３】
この場合、ＶＦ信号処理部１０８は、エッジが強調表示（例えば、高輝度表示、白色を含む所定色表示など）されるように、エッジ信号を映像信号に合成する。例えば、エッジを所定色で表示する場合、ＶＦ信号処理部１０８は、色相を違えることで、第１のエッジ信号によるエッジ強調表示と第２のエッジ信号によるエッジ強調表示との区別が可能となる。
【００４４】
そして、ＶＦ信号処理部１０８は、上述の第１映像信号、第２の映像信号、第３の映像信号のいずれかを出力し、ＶＦ表示部（ビューファインダ）に送る。この場合、ＶＦ信号処理部１０８は、ユーザ操作部１０２からの選択信号に基づいて、出力すべきビューファインダ表示用の映像信号を決定する。つまり、ユーザは、ユーザ操作部１０２を操作することで、ＶＦ表示部（ビューファインダ）に送るビューファインダ表示用の映像信号を設定することが可能とされている。
【００４５】
図１に示すカメラ装置１００の動作を簡単に説明する。撮像部１０３からは、２４０ＨｚのフレームレートのＨＦＲ映像信号が得られる（図２（ａ１）〜（ａ４）参照）。このＨＦＲ映像信号は、本線信号処理部に送られると共に、フレームレート変換部１０４およびエッジ信号検出部１０６に供給される。
【００４６】
フレームレート変換部１０４では、フレームレートの変換処理が行われ、２４０ＨｚのフレームレートのＨＦＲ映像信号から６０Ｈｚのフレームレートの標準速映像信号が得られる（図２（ｂ）参照）。この標準速映像信号は、エッジ信号検出部１０５およびＶＦ信号処理部１０８に供給される。
【００４７】
エッジ信号検出部１０５では、６０Ｈｚのフレームレートの標準速映像信号に対して、フレーム毎に、水平方向および垂直方向のハイパスフィルタ処理が行われ、６０Ｈｚのフレームレートの各フレームに対応したエッジ信号が検出される（図３（ａ）参照）。このエッジ信号は、ＶＦ信号処理部１０８に供給される。
【００４８】
エッジ信号検出部１０６では、２４０ＨｚのフレームレートのＨＦＲ映像信号に対して、フレーム毎に、水平方向および垂直方向のハイパスフィルタ処理が行われ、２４０Ｈｚのフレームレートの各フレームに対応したエッジ信号が検出される（図３（ｂ１）〜（ｂ４）参照）。このエッジ信号は、エッジ信号生成部１０７に供給される。
【００４９】
エッジ信号生成部１０７では、各フレームのエッジ信号が用いられて、フレーム毎に、隣接するフレームとの間でエッジ信号の差分絶対値が求められる（図４（ｂ１）〜（ｂ４）参照）。そして、このエッジ信号生成部１０７では、４フレーム毎に、４フレームの差分絶対値が加算されて、６０Ｈｚのフレームレートの各フレームに対応したエッジ信号が生成される。このエッジ信号は、ＶＦ信号処理部１０８に供給される。
【００５０】
ＶＦ信号処理部１０８では、フレームレート変換部１０４で得られた６０Ｈｚのフレームレートの標準速映像信号に、エッジ信号生成部１０７で生成された６０Ｈｚのフレームレートの各フレームに対応したエッジ信号が合成されて、ビューファインダ表示用の第１の映像信号が生成される。この場合、エッジが強調表示（例えば、高輝度表示、白色を含む所定色表示など）されるように、エッジ信号が映像信号に合成される。
【００５１】
また、ＶＦ信号処理部１０８では、フレームレート変換部１０４で得られた６０Ｈｚのフレームレートの標準速映像信号に、エッジ信号検出部１０５で検出された６０Ｈｚのフレームレートの各フレームに対応したエッジ信号が合成されて、ビューファインダ表示用の第２の映像信号が生成される。この場合、エッジが強調表示（例えば、高輝度表示、白色を含む所定色表示など）されるように、エッジ信号が映像信号に合成される。
【００５２】
また、ＶＦ信号処理部１０８では、フレームレート変換部１０４で得られた６０Ｈｚのフレームレートの標準速映像信号に、エッジ信号生成部１０７で生成された６０Ｈｚのフレームレートの各フレームに対応したエッジ信号（第１のエッジ信号）と、エッジ信号検出部１０５で検出された６０Ｈｚのフレームレートの各フレームに対応したエッジ信号（第２のエッジ信号）の双方が合成されて、ビューファインダ表示用の第３の映像信号が生成される。この場合、エッジが強調表示（例えば、高輝度表示、白色を含む所定色表示など）されるように、エッジ信号が映像信号に合成される。
【００５３】
そして、ＶＦ信号処理部１０８からは、例えば、ユーザの選択操作に応じて、第１映像信号、第２の映像信号、第３の映像信号のいずれかが選択的に出力される。このようにＶＦ信号処理部１０８から出力されるビューファインダ表示用の映像信号は、ＶＦ表示部（ビューファインダ）に送られる。
【００５４】
図５（ａ）は、ビューファインダ表示用の第１の映像信号によりビューファインダに表示される１フレーム分の画像の一例を示している。この例は、フォーカスポイントが手前側の「円柱」の静止部分の近辺にある場合を示している。図示のように、動き部分である「人物」のエッジのみが強調表示されたものとなる（矢印Ｒ１参照）。
【００５５】
また、図５（ｂ）は、ビューファインダ表示用の第２の映像信号によりビューファインダに表示される１フレーム分の画像の一例を示している。この例は、フォーカスポイントが手前側の「円柱」の静止部分の近辺にある場合を示している。図示のように、静止部分である「円柱」のエッジのみが強調表示されたものとなる（矢印Ｒ２参照）。
【００５６】
また、図５（ｃ）は、ビューファインダ表示用の第３の映像信号によりビューファインダに表示される１フレーム分の画像の一例を示している。この例は、フォーカスポイントが手前側の「円柱」の静止部分の近辺にある場合を示している。図示のように、動き部分である「人物」のエッジと、静止部分である「円柱」のエッジの双方が強調表示されたものとなる（矢印Ｒ１，Ｒ２参照）。
【００５７】
図１に示すカメラ装置１００においては、２４０ＨｚのフレームレートのＨＦＲ映像信号の各フレームで検出されたエッジ信号に基づいて、６０Ｈｚのフレームレートの各フレームに対応したエッジ信号を生成し、このエッジ信号を、６０Ｈｚのフレームレートの標準速映像信号に合成してビューファインダ表示用の映像信号（第１の映像信号）を得るものである。そのため、例えば、動画像ボケの影響を抑制でき、６０Ｈｚのフレームレートの各フレームに対応したエッジ信号として動き部分のエッジ信号を良好に得ることができ、動き部分にもエッジ信号によるエッジ強調表示を行うことが可能となる。
【００５８】
また、図１に示すカメラ装置１００においては、２４０ＨｚのフレームレートのＨＦＲ映像信号の各フレームで検出されたエッジ信号を用いて、フレーム毎に、隣接するフレームとの間でエッジ信号の差分絶対値を求めた後、４フレーム毎に、一部または全部のフレームのエッジ信号の差分絶対値から１フレーム分のエッジ信号を生成するものである。そのため、例えば、動き部分のエッジにのみ対応したエッジ強調表示を行うことが可能となる。
【００５９】
また、図１に示すカメラ装置１００においては、ＶＦ信号処理部１０８は、ビューファインダ用の映像信号として第１、第２、第３の映像信号を生成し、いずれかを選択的に出力するものである。そのため、例えば、ビューファインダに、エッジ信号によるエッジ強調表示を、動き部分のみ、静止部分のみ、あるいは動き部分よび静止部分の双方に行った画像を表示することが可能となる。
【００６０】
＜２．変形例＞
なお、上述実施の形態において、エッジ信号生成部１０７は、２４０ＨｚのフレームレートのＨＦＲ映像信号の各フレームで検出されたエッジ信号を用いて、フレーム毎に、隣接するフレームとの間でエッジ信号の差分絶対値を求めた後、４フレーム毎に、一部または全部のフレームのエッジ信号の差分絶対値から１フレーム分のエッジ信号を生成するものであった。しかし、エッジ信号生成部１０７は、２４０ＨｚのフレームレートのＨＦＲ映像信号の各フレームで検出されたエッジ信号を用いて、４フレーム毎に、一部または全部のフレームのエッジ信号の絶対値から１フレーム分のエッジ信号を生成する構成とすることも考えられる。
【００６１】
この場合、生成されるエッジ信号には、動き部分のエッジに対応したエッジ信号の他に、静止部分のエッジに対応したエッジ信号も含まれる（図４（ａ）参照）。そのため、この場合、ＶＦ信号処理部１０８で生成される、フレームレート変換部１０４で得られた６０Ｈｚのフレームレートの標準速映像信号に、エッジ信号生成部１０７で生成された６０Ｈｚのフレームレートの各フレームに対応したエッジ信号を合成して得られるビューファインダ表示用の第１の映像信号は、上述の第３の映像信号と同様のものとなる。
【００６２】
また、上述実施の形態においては、説明を簡単にするため、標準フレームレートが６０Ｈｚである例を示した。しかし、本技術が適用される標準フレームレートは、６０Ｈｚに限定されるものではなく、５９．９４Ｈｚ、５０Ｈｚなどであってもよい。
【００６３】
また、本技術は、以下のような構成を取ることもできる。
（１）第１のフレームレートのＮ倍（Ｎは２以上の整数）の第２のフレームレートの映像信号対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部を備える
映像信号処理装置。
（２）上記エッジ信号生成部は、
上記エッジ信号検出部で検出された各フレームのエッジ信号を用いて、フレーム毎に、隣接するフレームとの間で上記エッジ信号の差分絶対値を求める演算処理を行い、
Ｎフレーム毎に、一部または全部のフレームの上記エッジ信号の差分絶対値から１フレーム分のエッジ信号を生成する
前記（１）に記載の映像信号処理装置。
（３）上記エッジ信号生成部は、
上記エッジ信号検出部で検出された各フレームのエッジ信号を用いて、Ｎフレーム毎に、一部または全部のフレームの上記エッジ信号から１フレーム分のエッジ信号を生成する
前記（１）に記載の映像信号処理装置。
（４）上記エッジ信号生成部で生成された各フレームのエッジ信号を所定色の色信号に変換して出力する色変換部をさらに備える
前記（１）から（３）のいずれかに記載の映像信号処理装置。
（５）上記第２のフレームレートは、２００Ｈｚ以上である
前記（１）から（４）のいずれかに記載の映像信号処理装置。
（６）ハイパスフィルタを用いて第１のフレームレートのＮ倍（Ｎは２以上の整数）の第２のフレームレートの映像信号に対してフレーム毎に水平方向および垂直方向のハイパスフィルタ処理を行ってエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップを有する
映像信号処理方法。
（７）第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部と、
上記フレームレート変換部で得られた上記第１のフレームレートの映像信号に上記エッジ信号生成部で生成された上記第１のフレームレートの各フレームに対応したエッジ信号を合成して上記第１のフレームレートのビューファインダ表示用の映像信号を得る信号合成部を備える
カメラ装置。
（８）上記エッジ信号生成部は、
上記エッジ信号検出部で検出された各フレームのエッジ信号を用いて、フレーム毎に、隣接するフレームとの間で上記エッジ信号の差分絶対値を求める演算処理を行い、
Ｎフレーム毎に、一部または全部のフレームの上記エッジ信号の差分絶対値から１フレーム分のエッジ信号を生成する
前記（７）に記載のカメラ装置。
（９）上記エッジ信号生成部は、
上記エッジ信号検出部で検出された各フレームのエッジ信号を用いて、Ｎフレーム毎に、一部または全部のフレームの上記エッジ信号から１フレーム分のエッジ信号を生成する
前記（７）に記載のカメラ装置。
（１０）上記エッジ信号生成部で生成された各フレームのエッジ信号を所定色の色信号に変換して出力する色変換部をさらに備え、
上記信号合成部は、
上記フレームレート変換部で得られた上記第１のフレームレートの映像信号に、上記色変換部から出力される上記第１のフレームレートの各フレームに対応した上記所定色の色信号を合成して上記第１のフレームレートのビューファインダ表示用の映像信号を得る
前記（７）から（９）のいずれかに記載のカメラ装置。
（１１）上記色変換部は、
上記所定色をユーザ操作部からの選択信号に基づいて決定する
前記（１０）に記載のカメラ装置。
（１２）上記第２のフレームレートは、２００Ｈｚ以上である
前記（７）から（１１）のいずれかに記載のカメラ装置。
（１３）第１のフレームレートのＮ倍（Ｎは２以上の整数）の第２のフレームレートの撮像映像信号から上記第１のフレームレートの映像信号を得るフレームレート変換ステップと、
ハイパスフィルタを用いて上記第２のフレームレートの撮像映像信号に対してフレーム毎に水平方向および垂直方向のハイパスフィルタ処理を行ってエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップと、
上記フレームレート変換ステップで得られた上記第１のフレームレートの映像信号に上記エッジ信号生成ステップで生成された上記第１のフレームレートの各フレームに対応したエッジ信号を合成して上記第１のフレームレートのビューファインダ表示用の映像信号を得る信号合成ステップを備える
映像信号処理方法。
（１４）第１のフレームレートのＮ倍（Ｎは２以上の整数）の第２のフレームレートの撮像映像信号から上記第１のフレームレートの映像信号を得るフレームレート変換部と、
上記第２のフレームレートの撮像映像信号に対してフレーム毎に水平方向および垂直方向のハイパスフィルタ処理を行ってエッジ信号を検出する第１のエッジ信号検出部と、
上記第１のエッジ信号検出部で検出された各フレームのエッジ信号に基づいて上記第１のフレームレートの各フレームに対応した第１のエッジ信号を生成するエッジ信号生成部と、
上記フレームレート変換部で得られた上記第１のフレームレートの映像信号に対してフレーム毎に水平方向および垂直方向のハイパスフィルタ処理を行って上記第１のフレームレートの各フレームに対応した第２のエッジ信号を検出する第２のエッジ信号検出部と、
上記フレームレート変換部で得られた上記第１のフレームレートの映像信号に、上記エッジ信号生成部で生成された上記第１のエッジ信号、上記第２のエッジ信号検出部で検出された上記第２のエッジ信号、あるいは該第１のエッジ信号および該第２のエッジ信号を合わせた第３のエッジ信号を合成した、上記第１のフレームレートのビューファインダ表示用の映像信号を出力する信号処理部を備える
カメラ装置。
（１５）上記信号処理部は、
ユーザ操作部からの選択信号に基づいて、上記第１のエッジ信号、上記第２のエッジ信号、上記第３のエッジ信号のいずれかを選択的に出力する
前記（１４）に記載のカメラ装置。
【符号の説明】
【００６４】
１００・・・カメラ装置
１０１・・・制御部
１０２・・・ユーザ操作部
１０３・・・撮像部
１０４・・・フレームレート変換部
１０５，１０６・・・エッジ信号検出部
１０７・・・エッジ信号生成部
１０８・・・ＶＦ信号処理部
【図１】
2019071619.tif 000003
【図２】
2019071619.tif 000004
【図３】
2019071619.tif 000005
【図４】
2019071619.tif 000006
【図５】
2019071619.tif 000007
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
第１のフレームレートより大きな第２のフレームレートの映像信号からフレーム毎にエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部を備える
映像信号処理装置。
【請求項２】
上記エッジ信号生成部は、
上記エッジ信号検出部で検出された各フレームのエッジ信号を用いて、上記第１のフレームレートの各フレームに対応した動き部分のエッジ信号を生成する
請求項１に記載の映像信号処理装置。
【請求項３】
上記エッジ信号生成部は、
上記エッジ信号生成部で検出された各フレームのエッジ信号を用いて、フレーム毎に、隣接するフレームとの間で上記エッジ信号の差分絶対値を求める演算処理を行い、
上記演算処理で求められたエッジ信号の差分絶対値に基づいて上記第１のフレームレートの各フレームに対応した上記動き部分のエッジ信号を生成する
請求項２に記載の映像信号処理処置。
【請求項４】
上記動き部分は、人物である
請求項２または３に記載の映像信号処理装置。
【請求項５】
上記エッジ信号生成部は、
上記エッジ信号検出部で検出された各フレームのエッジ信号を用いて、上記第１のフレームレートの各フレームに対応したエッジ信号を生成する
請求項１に記載の映像信号処理装置。
【請求項６】
上記エッジ信号生成部で生成された各フレームのエッジ信号を所定色の色信号に変換して出力する色変換部をさらに備える
請求項１から５のいずれかに記載の映像信号処理装置。
【請求項７】
上記第２のフレームレートは、２００Ｈｚ以上である
請求項１から６のいずれかに記載の映像信号処理装置。
【請求項８】
第１のフレームレートより大きな第２のフレームレートの映像信号からフレーム毎にエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップを有する
映像信号処理方法。
【請求項９】
第１のフレームレートより大きな第２のフレームレートの撮像映像信号から上記第１のフレームレートの映像信号を得るフレームレート変換部と、
上記第２のフレームレートの撮像映像信号からフレーム毎にエッジ信号を検出するエッジ信号検出部と、
上記エッジ信号検出部で検出された各フレームのエッジ信号に基づいて上記第１のフレームレートの各フレームに対応したエッジ信号を生成するエッジ信号生成部と、
上記フレームレート変換部で得られた上記第１のフレームレートの映像信号に上記エッジ信号生成部で生成された上記第１のフレームレートの各フレームに対応したエッジ信号を合成して上記第１のフレームレートの映像信号を得る信号合成部を備える
カメラ装置。
【請求項１０】
上記エッジ信号生成部は、
上記エッジ信号検出部で検出された各フレームのエッジ信号を用いて、上記第１のフレームレートの各フレームに対応した動き部分のエッジ信号を生成する
請求項９に記載のカメラ装置。
【請求項１１】
上記エッジ信号生成部は、
上記エッジ信号生成部で検出された各フレームのエッジ信号を用いて、フレーム毎に、隣接するフレームとの間で上記エッジ信号の差分絶対値を求める演算処理を行い、
上記演算処理で求められたエッジ信号の差分絶対値に基づいて上記第１のフレームレートの各フレームに対応した上記動き部分のエッジ信号を生成する
請求項１０に記載のカメラ処置。
【請求項１２】
上記動き部分は、人物である
請求項１０または１１に記載の映像信号処理装置。
【請求項１３】
上記エッジ信号生成部は、
上記エッジ信号検出部で検出された各フレームのエッジ信号を用いて、上記第１のフレームレートの各フレームに対応したエッジ信号を生成する
請求項９に記載のカメラ装置。
【請求項１４】
上記エッジ信号生成部で生成された各フレームのエッジ信号を所定色の色信号に変換して出力する色変換部をさらに備え、
上記信号合成部は、
上記フレームレート変換部で得られた上記第１のフレームレートの映像信号に、上記色変換部から出力される上記第１のフレームレートの各フレームに対応した上記所定色の色信号を合成して上記第１のフレームレートの映像信号を得る
請求項９から１３のいずれかに記載のカメラ装置。
【請求項１５】
上記色変換部は、
上記所定色をユーザ操作部からの選択信号に基づいて決定する
請求項１４に記載のカメラ装置。
【請求項１６】
上記第２のフレームレートは、２００Ｈｚ以上である
請求項９から１５のいずれかに記載のカメラ装置。
【請求項１７】
第１のフレームレートより大きな第２のフレームレートの撮像映像信号から上記第１のフレームレートの映像信号を得るフレームレート変換ステップと、
上記第２のフレームレートの撮像映像信号からフレーム毎にエッジ信号を検出するエッジ信号検出ステップと、
上記エッジ信号検出ステップで検出された各フレームのエッジ信号に基づいて上記第１のフレームレートの各フレームに対応したエッジ信号を生成するエッジ信号生成ステップと、
上記フレームレート変換ステップで得られた上記第１のフレームレートの映像信号に上記エッジ信号生成ステップで生成された上記第１のフレームレートの各フレームに対応したエッジ信号を合成して上記第１のフレームレートの映像信号を得る信号合成ステップを有する
映像信号処理方法。
【請求項１８】
第１のフレームレートより大きな第２のフレームレートの撮像映像信号から上記第１のフレームレートの映像信号を得るフレームレート変換部と、
上記第２のフレームレートの撮像映像信号からフレーム毎にエッジ信号を検出する第１のエッジ信号検出部と、
上記第１のエッジ信号検出部で検出された各フレームのエッジ信号に基づいて上記第１のフレームレートの各フレームに対応した第１のエッジ信号を生成するエッジ信号生成部と、
上記フレームレート変換部で得られた上記第１のフレームレートの映像信号から各フレームに対応した第２のエッジ信号を検出する第２のエッジ信号検出部と、
上記フレームレート変換部で得られた上記第１のフレームレートの映像信号に、上記エッジ信号生成部で生成された上記第１のエッジ信号、上記第２のエッジ信号検出部で検出された上記第２のエッジ信号、あるいは該第１のエッジ信号および該第２のエッジ信号を合わせた第３のエッジ信号を合成した、上記第１のフレームレートの映像信号を出力する信号処理部を備える
カメラ装置。
【請求項１９】
上記信号処理部は、
ユーザ操作部からの選択信号に基づいて、上記第１のエッジ信号、上記第２のエッジ信号、上記第３のエッジ信号のいずれかを選択的に出力する
請求項１８に記載のカメラ装置。
【請求項２０】
上記信号処理部から出力される映像信号に基づいて、エッジ信号によるエッジ強調表示を、動き部分のみ、静止部分のみ、あるいは動き部分および静止部分の双方に行った画像を表示する画像表示部をさらに備える
請求項１８または１９に記載のカメラ装置。